(57)【要約】【課題】ユーザが作成したルートについて指定した日時に航行が可能か否かを検証可能な航路計画装置を提供する。【解決手段】航法装置は、表示部と、入力部と、注意情報読出し部と、ルート検証部と、を備える。表示部は、ユーザが作成した航行予定のルートを地図上に表示する。入力部は、ルートの航行日時の入力を受け付ける。注意情報読出し部は、入力部に入力された航行日時に基づいて、注意情報を読み出す。ルート検証部は、注意情報読出し部が読み出した注意情報が示す位置と、ルートの位置と、に基づいて少なくとも当該ルート上又はルートの近傍に位置する注意情報を抽出し、抽出した注意情報に基づいてルートを検証する。【選択図】図５
2013217860.tif 000002
【特許請求の範囲】
【請求項１】
ユーザが作成した航行予定のルートを地図上に表示する表示部と、
前記ルートの航行日時の入力を受け付ける日時入力部と、
前記日時入力部に入力された航行日時に基づいて、航行に影響する情報であって位置及び日時に関連付けられた情報である注意情報を読み出す注意情報読出し部と、
前記注意情報読出し部が読み出した前記注意情報が示す位置と、前記ルートの位置と、に基づいて少なくとも当該ルート上又はルートの近傍に位置する前記注意情報を抽出し、抽出した前記注意情報に基づいて前記ルートを検証するルート検証部と、
を備えることを特徴とする航路計画装置。
【請求項２】
請求項１に記載の航路計画装置であって、
前記注意情報は、禁漁区域の情報及び航行禁止領域の情報の少なくとも一方を含むことを特徴とする航路計画装置。
【請求項３】
請求項１又は２に記載の航路計画装置であって、
前記日時入力部は、前記ルートの航行開始日時及び航行終了日時の入力を受け付けることを特徴とする航路計画装置。
【請求項４】
請求項１又は２に記載の航路計画装置であって、
前記日時入力部は、前記ルートの範囲毎に航行日時の入力を受け付けることを特徴とする航路計画装置。
【請求項５】
請求項１から４までの何れか一項に記載の航路計画装置であって、
前記ルート検証部は、前記注意情報に航行禁止領域の情報が含まれる場合であって、前記ルートが当該航行禁止領域の情報が示す位置を含んでいる場合に、当該ルートに沿った航行ができない旨を出力することを特徴とする航路計画装置。
【請求項６】
請求項１から５までの何れか一項に記載の航路計画装置であって、
前記注意情報を記憶する、又は前記注意情報が記憶された記憶媒体を読み取る記憶部を備え、
前記注意情報読出し部は、前記注意情報を、前記記憶部から読み出すことを特徴とする航路計画装置。
【請求項７】
請求項１から５までの何れか一項に記載の航路計画装置であって、
前記注意情報読出し部は、前記注意情報を、インターネットを介して読み出すことを特徴とする航路計画装置。
【請求項８】
請求項１から７までの何れか一項に記載の航路計画装置であって、
前記表示部は、前記ルート検証部が出力した前記ルートの検証結果を表示することを特徴とする航路計画装置。
【請求項９】
請求項８に記載の航路計画装置であって、
前記表示部は、前記検証結果に応じて前記ルートの表示形態を変更して表示することを特徴とする航路計画装置。
【請求項１０】
請求項１から９までの何れか一項に記載の航路計画装置であって、
前記ルートは、ユーザが指定した複数のウェイポイントを繋ぐことで構成されることを特徴とする航路計画装置。
【請求項１１】
請求項１０に記載の航路計画装置であって、
前記日時入力部は、前記ウェイポイント毎に航行日時の入力を受け付けることを特徴とする航路計画装置。
【請求項１２】
請求項１から１１までの何れか一項に記載の航路計画装置であって、
船舶に搭載されることを特徴とする航路計画装置。
【請求項１３】
ユーザの指示に応じてルートを作成するルート作成工程と、
ユーザの指示に応じて前記ルートの航行日時の設定を行う日時設定工程と、
前記日時設定工程で設定された航行日時に基づいて、航行に影響する情報であって位置及び日時が設定された情報である注意情報を読み出す注意情報読出し工程と、
前記注意情報読出し工程で読み出した前記注意情報が示す位置と、前記ルートの位置と、に基づいて少なくとも当該ルート上又はルートの近傍に位置する前記注意情報を抽出し、抽出した前記注意情報に基づいて前記ルートを検証するルート検証工程と、
を含むことを特徴とする航路計画検証方法。
【発明の詳細な説明】
【技術分野】
【０００１】
本発明は、主要には、ルートを作成して表示可能な航路計画装置に関する。
【背景技術】
【０００２】
従来から、自動車、船舶、及び航空機等の移動体に搭載され、ユーザが出発地と目的地とを入力することでルート（航路）を作成するナビゲーション装置が知られている。例えば自動車に搭載されるナビゲーション装置は地図を記憶しており、この地図に基づいて、所要時間や高速道路料金等に応じて複数種類のルートを作成することができる。特許文献１は、この種のナビゲーション装置を開示する。
【０００３】
特許文献１のナビゲーション装置は、地図に加え、各道路の混雑状況を日時毎に記憶している。このナビゲーション装置は、ユーザから出発地と目的地とが指定されてルートを作成する指示を受けた場合に、混雑状況に応じて所要時間を計算し、ルートとともに表示する。
【０００４】
また、特許文献１のナビゲーション装置は、ルート作成時に日時の指定を受付可能に構成されている。ナビゲーション装置は、ユーザから日時が指定された場合、指定された日時におけるルートの所要時間（及び混雑状況）を表示する。
【先行技術文献】
【特許文献】
【０００５】
【特許文献１】特開２０１０−１３９５１５号公報
【発明の概要】
【発明が解決しようとする課題】
【０００６】
しかし、実際の道路は、道路工事が行われていて通れなかったり、道路が狭くて大型車両が通れなかったり、季節に応じて進入禁止となっていることがある。特に、航海を行う場合は、航行禁止区域、浅瀬、海の凍結、及びヨットレースの開催等、通れない箇所が多く、更に通れない箇所が時期に応じて変化することが珍しくない。この点、特許文献１では、道路の混雑状況以外の点を考慮することについては開示されていない。
【０００７】
また、移動体や移動目的等によっては、ナビゲーション装置が提案するルートではなく、ユーザが作成したルートに沿った移動を行いたいという要望がある（例えば、複数の漁礁を効率的に回るように航海を行いたい場合等）。つまり、ルートを作成するのではなく、ユーザが作成したルートを航行可能か否かを検証する装置が望まれていた。
【０００８】
本発明は以上の事情に鑑みてされたものであり、その主要な目的は、ユーザが作成したルートについて指定した日時に航行が可能か否かを検証可能な航路計画装置を提供することにある。
【課題を解決するための手段及び効果】
【０００９】
本発明の解決しようとする課題は以上の如くであり、次にこの課題を解決するための手段とその効果を説明する。
【００１０】
本発明の第１の観点によれば、以下の構成の航路計画装置が提供される。即ち、この航路計画装置は、表示部と、日時入力部と、注意情報読出し部と、ルート検証部と、を備える。前記表示部は、ユーザが作成した航行予定のルートを地図上に表示する。前記日時入力部は、前記ルートの航行日時の入力を受け付ける。前記注意情報読出し部は、前記日時入力部に入力された航行日時に基づいて、航行に影響する情報であって位置及び日時に関連付けられた情報である注意情報を読み出す。前記ルート検証部は、前記注意情報読出し部が読み出した前記注意情報が示す位置と、前記ルートの位置と、に基づいて少なくとも当該ルート上又はルートの近傍に位置する前記注意情報を抽出し、抽出した前記注意情報に基づいて前記ルートを検証する。
【００１１】
これにより、ユーザは、入力した航行日時においてルート上（又はその近傍）にどのような注意情報が存在するかを把握することができる。従って、例えば将来の航路計画を容易に立てることができる。また、作成したルートで航行ができないことが分かった場合であっても、上記の構成は航行日時を容易に変更可能であるので、航行日時を変更した後のルートで航行できるか否かを簡単に知ることができる。
【００１２】
前記の航路計画装置においては、前記注意情報は、禁漁区域の情報及び航行禁止領域の情報の少なくとも一方を含むことが好ましい。
【００１３】
これにより、ユーザは、設定したルートで航行できない（又は漁ができない）ことを知ることができる。
【００１４】
前記の航路計画装置においては、前記日時入力部は、前記ルートの航行開始日時及び航行終了日時の入力を受け付けることが好ましい。
【００１５】
これにより、ユーザは、長期にわたる航行を行う場合であっても、その日程にある程度即した注意情報を把握できる。
【００１６】
前記の航路計画装置においては、前記日時入力部は、前記ルートの範囲毎に航行日時の入力を受け付けることもできる。
【００１７】
これにより、ユーザは、長期にわたる航行を行う場合であっても、日程にかなり即した注意情報を把握できる。
【００１８】
前記の航路計画装置においては、前記ルート検証部は、前記注意情報に航行禁止領域の情報が含まれる場合であって、前記ルートが当該航行禁止領域の情報が示す位置を含んでいる場合に、当該ルートに沿った航行ができない旨を出力することが好ましい。
【００１９】
これにより、ユーザは、入力した航行日時において、作成したルートでの航行が可能か否かを簡単に知ることができる。
【００２０】
前記の航路計画装置においては、以下の構成とすることが好ましい。即ち、前記注意情報を記憶する、又は前記注意情報が記憶された記憶媒体を読み取る記憶部を備える。前記注意情報読出し部は、前記注意情報を、前記記憶部から読み出す。
【００２１】
これにより、インターネットに接続されていない環境においても、注意情報を利用することができる。従って、回線の障害等に関係なく、安定して注意情報を利用することができる。
【００２２】
前記の航路計画装置においては、前記注意情報読出し部は、前記注意情報を、インターネットを介して読み出すこともできる。
【００２３】
これにより、最新の注意情報を容易に取得できる。
【００２４】
前記の航路計画装置においては、前記表示部は、前記ルート検証部が出力した前記ルートの検証結果を表示することが好ましい。
【００２５】
これにより、ユーザは、前記ルートの検証結果を容易に把握することができる。
【００２６】
前記の航路計画装置においては、前記表示部は、前記検証結果に応じて前記ルートの表示形態を変更して表示することが好ましい。
【００２７】
これにより、ユーザは、前記ルートの検証結果を一層容易に把握することができる。特に、検証結果が航行可能／不可能の２種類だけでなく多種類存在する場合は、当該検証結果を一見するだけで把握できる。
【００２８】
前記の航路計画装置においては、前記ルートは、ユーザが指定した複数のウェイポイントを繋ぐことで構成されることが好ましい。
【００２９】
これにより、ユーザは、ルートを直感的に作成することができる。また、ルートが航行不能と判定されてルートを再作成する場合は、所定のウェイポイントを移動させるだけで良い（初めからルートを作成しなくて良い）ので、新たなルートを簡単に作成することができる。
【００３０】
前記の航路計画装置においては、前記日時入力部は、前記ウェイポイント毎に航行日時の入力を受け付けることが好ましい。
【００３１】
これにより、例えばウェイポイントは航行途中に通過したい箇所に設定されることがあるため、この箇所を通過したい日時を入力することで、ユーザの利用形態に即した方法で航行日時を入力できる。
【００３２】
前記の航路計画装置においては、船舶に搭載されることが好ましい。
【００３３】
これにより、本発明の効果を船舶に搭載される装置において発揮させることができる。
【００３４】
本発明の第２の観点によれば、以下の航路計画検証方法が提供される。即ち、この航路計画検証方法は、ルート作成工程と、日時設定工程と、注意情報読出し工程と、ルート検証工程と、を含む。前記ルート作成工程では、ユーザの指示に応じてルートを作成する。前記日時設定工程では、ユーザの指示に応じて前記ルートの航行日時の設定を行う。前記注意情報読出し工程では、前記日時設定工程で設定された航行日時に基づいて、航行に影響する情報であって位置及び日時が設定された情報である注意情報を読み出す。前記ルート検証工程では、前記注意情報読出し工程で読み出した前記注意情報が示す位置と、前記ルートの位置と、に基づいて少なくとも当該ルート上又はルートの近傍に位置する前記注意情報を抽出し、抽出した前記注意情報に基づいて前記ルートを検証する。
【００３５】
これにより、ユーザは、入力した航行日時においてルート上（又はその近傍）にどのような注意情報が存在するかを把握することができる。従って、例えば将来の航路計画を容易に立てることができる。また、作成したルートで航行ができないことが分かった場合であっても、上記の構成は従来と異なり航行日時を容易に変更可能であるので、航行日時を変更した後のルートで航行できるか否かを簡単に知ることができる。
【図面の簡単な説明】
【００３６】
【図１】本発明の一実施形態に係る航法装置の全体的な構成を示すブロック図。
【図２】注意情報リストの内容を示す図。
【図３】ルートを作成するときの表示画面を示す図。
【図４】ルートの検証を行う日時を指定するときの際の表示画面を示す図。
【図５】ルートの検証を行ったときの表示画面を示す図。
【図６】ルートと重なった注意情報の詳細を表示するときの表示画面を示す図。
【図７】航法装置の変形例を示すブロック図。
【発明を実施するための形態】
【００３７】
次に、図面を参照して本発明の実施の形態を説明する。図１は、航法装置１の全体的な構成を示すブロック図である。図２は、注意情報リストの内容を示す図である。
【００３８】
航法装置１は、船舶に搭載され、海図上に自船の位置を表示可能である。また、航法装置１は、ユーザの操作によってルートを作成可能である。航法装置１は、ルートに沿って操舵を行うように自動操舵装置（図略）に指示を行うことができる。これにより、船舶はユーザが作成したルートに沿って航行することができる。以下、航法装置１が備える構成について説明する。
【００３９】
航法装置１は、図１に示すように、ＧＰＳ受信機１２と、方位センサ１３と、指示器１４と、を備える。また、指示器１４は、表示部２１と、制御部２２と、入力部（日時入力部）２３と、注意情報記憶部（記憶部）２４と、海図情報記憶部２５と、を備える。
【００４０】
ＧＰＳ受信機１２は、ＧＰＳアンテナ１１から測位信号を受信して自船の位置の現在の位置情報を検出する。ＧＰＳ受信機１２が算出した位置情報は、指示器１４の制御部２２に出力される。
【００４１】
方位センサ１３は、自船に固定された複数のＧＰＳアンテナを備えており、ＧＰＳアンテナの相対的な位置関係から船首方位を検出することができる。方位センサ１３が算出した船首方位は、指示器１４の制御部２２に送信される。なお、方位センサ１３としては、この構成以外にも、例えば磁気方位センサやジャイロコンパス等を用いることができる。
【００４２】
表示部２１は、航法装置１が作成した各種の映像を表示することができる。例えば、表示部２１は、海図上の自船の位置及びルートの映像を表示することができる。
【００４３】
制御部２２は、図略のＣＰＵ、ＲＡＭ及びＲＯＭ等からなるハードウェアと、前記ＲＯＭに記憶された各種のプログラムからなるソフトウェアと、から構成されている。制御部２２は、プログラムを実行することにより、指示器１４の制御（例えば表示制御）を行うことができる。なお、このプログラムは、制御部２２が備える前記ＲＯＭに記憶される構成の他、記憶媒体（ＣＤ−ＲＯＭ、メモリカード等）に記憶されたものであっても良い。
【００４４】
入力部２３は、ユーザが操作するキー等である。ユーザは、入力部２３を操作して指示を入力することにより、ルートを作成したり、表示設定を変更したりすることができる。なお、入力部２３は、十字キーや回転キー等の物理キーに限られず、タッチパネルであっても良い。また、画面上のポインタを移動させるマウスやトラックボール等であっても良い。
【００４５】
注意情報記憶部２４は、ハードディスクドライブ等であり、航行に影響する情報であって位置及び日時に関連付けられた情報である注意情報を記憶している（図２を参照）。注意情報記憶部２４が記憶する注意情報リストは、内容と、該当範囲と、該当期間と、レベルと、の項目を有している。
【００４６】
「内容」とは、注意情報の種類を示している。例えば「航行禁止区域」とは、法令等によって航行が禁止されている区域である。「該当範囲」とは、同じ行の「内容」が適用される範囲である。該当範囲は、例えば範囲指定された緯度経度等によって記述されている。「該当期間」とは、同じ行の「内容」が適用される期間である。該当期間の記述方法は任意であり、例えば、時刻等で期間が記述されていても良いし、常に該当する等のように記述されていても良い。「レベル」とは、航行に影響する度合いである。本実施形態では、「航行禁止」と「航行注意」の２つが設定されている。「航行禁止」とは、通過すること自体が禁止されている状態を示す。「航行注意」とは、通過すること自体は禁止されていないが、例えば漁が禁止されていたり、座礁への注意喚起が行われていたりする。
【００４７】
海図情報記憶部２５は、ハードディスクドライブ等であり、電子海図を記憶している。なお、ハードディスクドライブに代えて、ＤＶＤやメモリカード等の記憶媒体と、この記憶媒体から情報を読み出す装置と、から構成されていても良い。
【００４８】
航法装置１は、以上のように構成される。この構成により、指示器１４の制御部２２は、前記ＧＰＳ受信機１２から入力された自船の位置情報と、海図情報記憶部２５の記憶内容と、に基づいて、自船の周囲の海図を表示部に自動的に表示することができる。
【００４９】
以下、ユーザの指示に従ってルートを作成するときの流れ、及び、作成したルートを検証するときの流れについて説明する。図３は、ルートを作成するときの表示画面を示す図である。図４から図６は、ルートを検証するときの表示画面を示す図である。なお、この表示画面において、斜線で示された領域は陸地であり、それ以外の部分が海を示すものとする。
【００５０】
また、図１に示すように、制御部２２は、ルート作成部３１と、注意情報読出し部３２と、ルート検証部３３と、を備える。ルート作成部３１は、ユーザの入力に基づいてルートを作成する。注意情報読出し部３２は、注意情報記憶部２４にアクセスして、ユーザが作成したルートの位置に基づいて、当該位置に対応する注意情報を読み出す。ルート検証部３３は、注意情報読出し部３２が読み出した注意情報に基づいてルートの検証を行う。
【００５１】
ユーザは、ルートを作成する場合、入力部２３を操作してルート作成モードを起動する。そして、海図上をクリック又はタッチで指定していく。これにより、図３（ａ）に示すように、指定された点同士が線で結ばれていく。そして、ユーザは、ルートの目的地を指定した後に、ルートを確定させることで、ルートの作成が完了する。
【００５２】
ここで、ユーザが指定した点をウェイポイント４１と称する。また、最後に指定したウェイポイント４１には、周囲を丸く覆うようにマークがあるが、これはルートの目的地を示している。なお、ルートの作成時の表示形態等は任意であり、例えば出発地にもマークを付ける構成であっても良い。また、ルートとしては、出発地と目的地とが指定されるルート以外にも、無端状のルートを作成することができる。
【００５３】
ユーザは、ルートの作成を完了した後に、入力部２３を操作して図４（ａ）等に示すルート検証ボックス５０を表示させる。図４（ａ）に示すように、ルート検証ボックス５０には、日時設定タブ５１と、表示設定タブ５２と、検証キー５３と、キャンセルキー５４と、が表示される。
【００５４】
日時設定タブ５１は、ルートの航行日時を指定するためのタブである。表示設定タブ５２は、ルートの検証時の表示設定を変更するためのタブである。検証キー５３は、ルートの検証を開始するキーである。キャンセルキー５４は、ルートの検証を行うモードを終了するキーである。
【００５５】
本実施形態では、ルートの航行日時の指定方法は５通り存在するため、日時設定タブ５１内には、５個のキーが表示されている。以下、それぞれのキーを順に説明する。
【００５６】
「現在の時刻」とは、現在の年月日及び時刻（日時）を航行日時とする指定方法である。「航行日の指定」とは、所定の日時（１つ）を指定して、その日時を航行日時とする指定方法である。「出発日と到着日を指定」とは、航行の出発日（航行開始日）の日時と到着日（航行終了日）の日時を指定する指定方法である。「ウェイポイント毎に指定」とは、ウェイポイント４１毎に日時を指定する指定方法である。「範囲を選択して指定」とは、ルートを任意に区切って日時を指定する指定方法である。
【００５７】
本実施形態では、「航行日の指定」について説明する。ユーザが「航行日の指定」をクリックすると、ルート検証ボックス５０内に航行日指定ボックス７０が表示される。航行日指定ボックス７０には、年指定部７１と、月指定部７２と、日指定部７３と、日時確定キー７４と、キャンセルキー７５と、が表示される。
【００５８】
年指定部７１、月指定部７２、日指定部７３は、プルダウン式のボックスになっており、それぞれ、年月日を指定することができる。そして、年月日を指定した後に、日時確定キー７４をクリックすることで、航行日時を指定できる。また、キャンセルキー７５をクリックすると、ルートの航行日時の指定方法を選択するモードへ戻ることができる。
【００５９】
なお、「航行日の指定」以外の指定方法は、ウェイポイントや所定の範囲を指定して、上記と同様に年月日を指定する処理を行う。この処理を繰り返すことで、ウェイポイント毎や選択範囲毎に航海日時を設定することができる。また、これらの方法で指定された場合、指定された２点間の日時が自動的に補間される。例えば、隣り合うウェイポイントに３月２日と３月４日とを設定すると、ウェイポイント間の所定の範囲では、３月３日と自動的に設定される。
【００６０】
ユーザは、上記のようにして航行日時を指定した後に、検証キー５３をクリックする（図５（ａ）を参照）。これにより、ユーザが作成したルートの検証が行われる。
【００６１】
この検証は、制御部２２内において、以下のように行われる。即ち、初めに、注意情報読出し部３２は、注意情報記憶部２４にアクセスして、ユーザが指定した上記ルートの航行日時に対応する注意情報を読み出す。次に、ルート検証部３３は、ユーザが作成したルートの位置及び指定された航行日時において、有効な注意情報が存在するか否かを検証する。なお、この検証では、ルート上に位置する（ルートと重なる）注意情報のみを抽出しても良いし、ルート近傍の注意情報を更に抽出しても良いし、ルート近傍の注意情報のみを抽出する構成であっても良い。
【００６２】
ルート検証部３３は、この検証の結果、該当する注意情報が存在した場合は、表示部２１に当該注意情報を表示する（図５（ｂ）を参照）。この注意情報は、海図上に、当該注意情報が示す範囲に表示される（禁止エリア領域８１及び注意エリア領域８２）。また、本実施形態では、注意情報リストにおける「レベル」に応じて、範囲とともに表示されるマークを異ならせている。
【００６３】
なお、ルート検証部３３による検証の結果の表示形態は、任意であり適宜変更することができる。例えば、レベルが「航行禁止」の注意情報とルートとが重なっているとき（航行ができないとき）にその旨を大きく表示して警告しても良い。また、注意情報と重なっている部分のルートのみを線を太く（又は色を異ならせて）表示しても良い。
【００６４】
また、本実施形態では、禁止エリア領域８１や注意エリア領域８２を選択して「詳細」という箇所をクリックすることで（図６（ａ）を参照）、当該注意情報の詳細な情報を表示する注意情報表示ボックス８３が表示される（図６（ｂ）を参照）。この構成により、注意情報の該当期間を簡単に知ることができるので、当該期間を避けた航海日時を容易に設定することができる。また、レベルが「航行注意」の場合、自身の航行に関係がないことを簡単に確認することができる。例えば、移動を目的とする場合、ルートと禁漁区域とが重なっても特に問題は起きない。
【００６５】
以上に説明したように、航法装置１は、表示部２１と、入力部２３と、注意情報読出し部３２と、ルート検証部３３と、を備える。表示部２１は、ユーザが作成した航行予定のルートを地図上に表示する。入力部２３は、ルートの航行日時の入力を受け付ける。注意情報読出し部３２は、入力部２３に入力された航行日時に基づいて、注意情報を読み出す。ルート検証部３３は、注意情報読出し部３２が読み出した注意情報が示す位置と、ルートの位置と、に基づいて少なくとも当該ルート上又はルートの近傍に位置する注意情報を抽出し、抽出した注意情報に基づいてルートを検証する。
【００６６】
これにより、ユーザは、入力した航行日時においてルート上にどのような注意情報が存在するかを把握することができる。従って、例えば将来の航路計画を容易に立てることができる。また、作成したルートで航行ができないことが分かった場合であっても、上記の構成は従来と異なり航行日時を容易に変更可能であるので、航行日時を変更した後のルートで航行できるか否かを簡単に把握できる。
【００６７】
以上に本発明の好適な実施の形態及び変形例を説明したが、上記の構成は例えば以下のように変更することができる。
【００６８】
注意情報記憶部（記憶部）２４は、ハードディスクドライブ等に限られず、例えば図７（ａ）に示すように、記憶媒体としてのメモリカード２４ｂを読取可能な読取部２４ａであっても良い。また、記憶媒体はメモリカードに限られず、ＣＤ、ＤＶＤ等であっても良い。
【００６９】
注意情報読出し部３２は、ローカル接続された記憶部から注意情報を読み出す構成に限られない。例えば船舶が衛星通信等によってインターネットを利用可能な場合、例えば図７（ｂ）に示すように、インターネット１００を介してサーバ２４ｃから注意情報を読み出す構成であってもよい。
【００７０】
航海日時を指定する方法は任意であり、上記の構成に限定されない。また、注意情報も上記に示したものは一例に過ぎず、例えば海の凍結等が含まれる構成であっても良い。また、ＡＩＯ（Ａｄｍｉｒａｌｔｙ  Ｉｎｆｏｒｍａｔｉｏｎ  Ｏｖｅｒｌａｙ、海事情報オーバーレイ）を注意情報として用いることができる。ＡＩＯとは、電子海図に反映されていない最新の情報、又は一時的、予備的、追加的な情報が位置及び時刻と関連付けて記述されている。具体的には、航法装置１は、作成したルートの検証を行う際に、ルート上又はその近傍に存在するＡＩＯの情報の有無を判定し、ルート上又はその近傍にＡＩＯの情報があれば、その情報を上記実施形態と同様に表示部２１に表示する。
【００７１】
上記実施形態では、注意情報の「レベル」は２種類だが、１種類又は３種類以上であっても良い。３種類以上の場合、上記実施形態と同様に、レベルに応じて表示形態を変更する構成であっても良い。
【００７２】
ルート検証部３３は、ルートの検証結果を外部のディスプレイに表示したり、音や光等でユーザに知らせたりする構成であっても良い。
【００７３】
本発明の航路計画装置が搭載される移動体は船舶に限られず、例えば、航空機、自動車等に搭載される構成であっても良い。
【符号の説明】
【００７４】
１  航法装置（航路計画装置）
２１  表示部
２２  制御部
２３  入力部
２４  注意情報記憶部（記憶部）
２５  海図情報記憶部
３１  ルート作成部
３２  注意情報読出し部
３３  ルート検証部
５０  ルート検証ボックス
７０  航行日指定ボックス
８１  禁止エリア領域
８２  注意エリア領域
８３  注意情報表示ボックス
【図１】
2013217860.tif 000003
【図２】
2013217860.tif 000004
【図３】
2013217860.tif 000005
【図４】
2013217860.tif 000006
【図５】
2013217860.tif 000007
【図６】
2013217860.tif 000008
【図７】
2013217860.tif 000009